(57)【要約】【課題】使用者の目が疲労するのを抑制するとともに、使用者が視聴を一旦中止した後再開した場合にも使用者が違和感を感じるのを抑制することが可能な表示装置を提供する。【解決手段】液晶テレビ（表示装置）１００は、液晶パネル１７と、液晶パネル１７の輝度を調整するためのマイコン２１と、所定領域に使用者が存在するか否かを検出するための検出部２０とを備えている。そして、マイコン２１は、検出部２０により所定領域に使用者が存在すると検出される場合に、所定の期間経過毎に液晶パネル１７の輝度を低下させるように構成されるとともに、検出部２０により所定領域に使用者が存在しないと検出される場合に、液晶パネル１７の輝度を基準値に戻すように構成されている。【選択図】図２
2009296116.tif 000002
【特許請求の範囲】
【請求項１】
表示部と、
前記表示部の輝度を調整するための制御部と、を備えた表示装置において、
使用者が視聴する際に位置する所定領域に、使用者が存在するか否かを検出する検出部をさらに備え、
前記制御部は、前記検出部により前記所定領域に使用者が存在すると検出される場合に、所定の期間経過毎に前記表示部の輝度を低下させるように構成されるとともに、前記検出部により前記所定領域に使用者が存在しないと検出される場合に、前記表示部の輝度を低下させないように構成されていることを特徴とする表示装置。
【請求項２】
請求項１に記載の表示装置において、
前記表示部は、輝度が第１の値と前記第１の値よりも小さい第２の値との間の範囲内において調整可能に構成され、
前記制御部は、前記検出部により前記所定領域に使用者が存在すると検出される場合に、前記表示部の輝度が前記第１の値から前記第２の値になるように、所定の期間経過毎に前記表示部の輝度を低下させるように構成されるとともに、前記検出部により前記所定領域に使用者が存在しないと検出される場合に、前記表示部の輝度を前記第１の値に戻すように構成されていることを特徴とする表示装置。
【請求項３】
請求項１または請求項２に記載の表示装置において、
前記検出部は、前記所定領域に存在する使用者までの距離を検出可能に構成されており、
前記制御部は、前記検出部により検出された使用者までの距離に基づいて、前記表示部の輝度の低下量を調整するように構成されていることを特徴とする表示装置。
【請求項４】
請求項１ないし請求項３のいずれかに記載の表示装置において、
前記検出部は、前記表示部の周辺の照度を検出可能に構成されており、
前記制御部は、前記検出部により検出された前記表示部の周辺の照度に基づいて、前記表示部の輝度の低下量を調整するように構成されていることを特徴とする表示装置。
【発明の詳細な説明】
【技術分野】
【０００１】
本発明は、表示部の輝度を調整する機能を備えた表示装置に関する。
【背景技術】
【０００２】
従来、表示部と、表示部の輝度を調整する制御部とを備えた表示装置が種々知られている（たとえば、特許文献１〜３参照）。
【０００３】
上記特許文献１〜３には、表示部の輝度を基準値から所定の値まで徐々に低下させるように構成された表示装置が開示されている。このため、上記特許文献１〜３の表示装置では、使用者が輝度の低下に起因する違和感を感じるのを抑制しながら、使用者の目が疲労するのを抑制することが可能である。
【０００４】
【特許文献１】特開平１１−３４１３９３号公報
【特許文献２】特開２００５−２３６５２０号公報
【特許文献３】特開２００７−１０４０６７号公報
【発明の開示】
【発明が解決しようとする課題】
【０００５】
しかしながら、上記特許文献１〜３に開示された従来の表示装置では、たとえば、使用者が表示装置の電源をオフ状態にすることなく、その場を離れて視聴を一旦中止した場合には、視聴を中止している間にも表示部の輝度が低下するので、使用者がその後戻ってきて視聴を再開した場合に、表示部の輝度が大幅に低下していて使用者が違和感を感じる場合があるという問題点がある。
【０００６】
本発明は、上述した課題を解決するものであって、その目的とするところは、使用者の目が疲労するのを抑制するとともに、使用者が視聴を一旦中止した後再開した場合にも使用者が違和感を感じるのを抑制することが可能な表示装置を提供することである。
【課題を解決するための手段】
【０００７】
本発明の表示装置は、表示部と、表示部の輝度を調整するための制御部とを備えた表示装置において、使用者が視聴する際に位置する所定領域に、使用者が存在するか否かを検出する検出部をさらに備え、制御部は、検出部により所定領域に使用者が存在すると検出される場合に、所定の期間経過毎に表示部の輝度を低下させるように構成されるとともに、検出部により所定領域に使用者が存在しないと検出される場合に、表示部の輝度を低下させないように構成されている。
【０００８】
このように構成することによって、使用者が所定領域に位置して視聴している場合には、所定の期間経過毎に表示部の輝度が低下するので、使用者が輝度の低下に起因する違和感を感じるのを抑制しながら、使用者の目が疲労するのを抑制することができる。また、使用者が所定領域から一旦離れて視聴を中止した場合には、表示部の輝度が低下しないので、使用者がその後所定領域に戻り視聴を再開した場合にも、使用者が輝度の低下に起因する違和感を感じるのを抑制することができる。
【０００９】
上記表示装置において、好ましくは、表示部は、輝度が第１の値と第１の値よりも小さい第２の値との間の範囲内において調整可能に構成され、制御部は、検出部により所定領域に使用者が存在すると検出される場合に、表示部の輝度が第１の値から第２の値になるように、所定の期間経過毎に表示部の輝度を低下させるように構成されるとともに、検出部により所定領域に使用者が存在しないと検出される場合に、表示部の輝度を第１の値に戻すように構成されている。
【００１０】
このように構成することによって、使用者が所定領域から一旦離れて視聴を中止した場合には、表示部の輝度が第１の値（基準値）に戻るので、使用者がその後所定領域に戻り視聴を再開した場合に、使用者が輝度の低下に起因する違和感を感じるのを防ぐことができる。
【００１１】
上記表示装置において、好ましくは、検出部は、所定領域に存在する使用者までの距離を検出可能に構成されており、制御部は、検出部により検出された使用者までの距離に基づいて、表示部の輝度の低下量を調整するように構成されている。
【００１２】
このように構成することによって、使用者が表示部に接近した状態で視聴している場合に、表示部の輝度の低下量を大きくすることにより、使用者の目が疲労するのをより抑制することができる。
【００１３】
上記表示装置において、好ましくは、検出部は、表示部の周辺の照度を検出可能に構成されており、制御部は、検出部により検出された表示部の周辺の照度に基づいて、表示部の輝度の低下量を調整するように構成されている。
【００１４】
このように構成することによって、周辺が暗い場合に、表示部の輝度の低下量を大きくすることにより、使用者の目が疲労するのをより抑制することができる。
【発明の効果】
【００１５】
本発明によれば、使用者の目が疲労するのを抑制するとともに、使用者が視聴を一旦中止した後再開した場合にも使用者が違和感を感じるのを抑制することが可能な表示装置を提供することができる。
【発明を実施するための最良の形態】
【００１６】
以下、本発明の実施形態について、図面を参照しながら説明する。なお、以下の実施形態では、表示装置の一例である液晶テレビジョン受像機（以下、「液晶テレビ」という）に本発明を適用した場合について説明する。
【００１７】
図１は、本発明の一実施形態による液晶テレビの全体構成を示した斜視図である。図２は、図１の液晶テレビの全体構成を示したブロック図である。図３は、図１の液晶テレビのテレビ本体を示した平面図である。まず、図１〜図３を参照して、本実施形態による液晶テレビ１００の構成について説明する。
【００１８】
本発明の一実施形態による液晶テレビ１００は、図１に示すように、テレビジョン放送を受信して表示するテレビ本体１と、テレビ本体１を遠隔操作するリモコン２とを備えている。
【００１９】
テレビ本体１は、図２に示すように、ブリッジ整流回路１１と、インバータ回路１２と、バックライト１３と、チューナ１４と、映像処理回路１５と、駆動回路１６と、液晶パネル１７と、受信部１８と、カウンタ１９と、検出部２０と、マイクロコンピュータ（以下、「マイコン」という）２１とを含んでいる。なお、液晶パネル１７は、本発明の「表示部」の一例であり、マイコン２１は、本発明の「制御部」の一例である。
【００２０】
ブリッジ整流回路１１は、４つのダイオードなどからなり、交流電源１５０から供給される電力を交流から直流に変換してインバータ回路１２に出力するように構成されている。なお、図２では省略したが、ブリッジ整流回路１１は、マイコン２１などにも電力を供給している。
【００２１】
インバータ回路１２は、ブリッジ整流回路１１から供給された直流電圧を高圧の交流電圧に変換してバックライト１３に供給するために設けられている。バックライト１３は、液晶パネル１７の背面から光を照射するために設けられている。このバックライト１３は、冷陰極管などを有し、インバータ回路１２から供給される電圧により冷陰極管が点灯するように構成されている。
【００２２】
チューナ１４は、アンテナ１５１が受信したテレビジョン放送のチャンネルを選択するとともに、選択されたチャンネルの映像信号を映像処理回路１５に出力する機能を有する。映像処理回路１５は、チューナ１４から入力された映像信号に対して所定の処理を行うとともに、所定の処理が行われた映像信号を駆動回路１６に出力するように構成されている。また、映像処理回路１５は、マイコン２１からＯＳＤ（On-Screen Display）信号が供給された場合には、映像信号にＯＳＤ信号を重畳する機能を有する。
【００２３】
駆動回路１６は、映像処理回路１５から入力された映像信号に基づいて、液晶パネル１７の各ドットの開口率を制御する駆動信号を生成する機能を有する。液晶パネル１７は、バックライト１３から照射された光を駆動信号に応じて透過させることにより、映像を表示するように構成されている。
【００２４】
受信部１８は、リモコン２から出力されるリモコン信号を受信してマイコン２１に出力する機能を有する。カウンタ１９は、経過時間を測定するために設けられている。
【００２５】
ここで、本実施形態では、検出部２０は、図１に示すように、テレビ本体１の前面に設けられている。この検出部２０は、図３に示すように、所定領域Ｒに使用者Ｐが存在するか否かを検出する機能を有する。なお、所定領域Ｒとは、使用者Ｐが液晶テレビ１００を視聴する際に位置する領域である。具体的には、検出部２０は、ＣＣＤイメージセンサまたはＣＭＯＳイメージセンサなどの受光素子を含んでおり、所定領域Ｒを撮像可能に構成されている。そして、検出部２０は、画像認識技術を用いて、所定領域Ｒに使用者Ｐが存在するか否かを検出するように構成されている。
【００２６】
また、本実施形態では、検出部２０は、所定領域Ｒに存在する使用者Ｐまでの距離Ｄを検出する機能を有する。具体的には、検出部２０は、受光素子とともに、発光ダイオードまたは半導体レーザなどの投光素子を含んでいる。そして、検出部２０は、三角測距法を用いて、使用者Ｐまでの距離Ｄを検出するように構成されている。また、検出部２０は、液晶パネル１７（図２参照）の周辺の照度を検出する機能を有する。
【００２７】
マイコン２１は、図２に示すように、テレビ本体１の動作を制御する機能を有する。また、マイコン２１は、インバータ回路１２および映像処理回路１５を制御することにより、液晶パネル１７の輝度を調整する機能を有する。具体的には、マイコン２１は、液晶パネル１７の輝度を基準値と所定の値（たとえば、基準値の８０％）との間の範囲内において調整するように構成されている。なお、基準値は、本発明の「第１の値」の一例であり、所定の値は、本発明の「第２の値」の一例である。
【００２８】
また、本実施形態では、マイコン２１は、所定領域Ｒに使用者Ｐが存在する場合において、所定の期間（たとえば、３０分）経過毎に、使用者Ｐまでの距離Ｄと周辺の照度とに基づいて、液晶パネル１７の輝度を低下させるように構成されている。具体的には、使用者Ｐまでの距離Ｄが大きい場合に、液晶パネル１７の輝度の低下量を小さくするとともに、使用者Ｐまでの距離Ｄが小さい場合に、液晶パネル１７の輝度の低下量を大きくする。また、周辺の照度が大きい場合に、液晶パネル１７の輝度の低下量を小さくするとともに、周辺の照度が小さい場合に、液晶パネル１７の輝度の低下量を大きくする。また、マイコン２１は、所定領域Ｒに使用者Ｐが存在しない場合に、液晶パネル１７の輝度を基準値に戻すように構成されている。
【００２９】
図４は、本発明の一実施形態による液晶テレビの輝度制御動作を説明するためのフローチャートである。次に、図２〜図４を参照して、本実施形態による液晶テレビ１００の輝度制御動作について説明する。
【００３０】
まず、液晶テレビ１００（図２参照）では、図４のステップＳ１において、マイコン２１（図２参照）により、受信部１８（図２参照）がリモコン２（図２参照）から電源をオンする旨を示すリモコン信号を受信したか否かが判断される。そして、マイコン２１により、受信部１８がそのリモコン信号を受信したと判断された場合には、液晶パネル１７（図２参照）の駆動が開始され、その後ステップＳ２に移る。その一方、マイコン２１により、受信部１８がそのリモコン信号を受信していないと判断された場合には、ステップＳ１が繰り返し行われる。
【００３１】
次に、ステップＳ２において、マイコン２１により、カウンタ１９（図２参照）がリセットされる。そして、ステップＳ３において、マイコン２１により、液晶パネル１７の輝度が基準値に設定される。
【００３２】
次に、ステップＳ４において、マイコン２１により、検出部２０（図２参照）を用いて所定領域Ｒ（図３参照）に使用者Ｐ（図３参照）が存在するか否かが判断される。そして、マイコン２１により、所定領域Ｒに使用者Ｐが存在すると判断された場合には、ステップＳ５に移る。その一方、マイコン２１により、所定領域Ｒに使用者Ｐが存在しないと判断された場合には、ステップＳ１２において、液晶パネル１７の輝度が基準値に再設定され、その後ステップＳ１０に移る。なお、ステップＳ１２では、液晶パネル１７の輝度が基準値よりも低い場合には、輝度が基準値に戻され、液晶パネル１７の輝度が基準値である場合には、輝度が基準値のまま維持される。
【００３３】
次に、ステップＳ５において、マイコン２１により、カウンタ１９を用いて所定の期間（３０分）が経過したか否かが判断される。そして、マイコン２１により、所定の期間が経過したと判断された場合には、ステップＳ６に移る。その一方、マイコン２１により、所定の期間が経過していないと判断された場合には、ステップＳ１１に移る。
【００３４】
次に、ステップＳ６において、マイコン２１により、液晶パネル１７の輝度が所定の値（基準値の８０％）であるか否かが判断される。そして、マイコン２１により、液晶パネル１７の輝度が所定の値でないと判断された場合には、ステップＳ７に移る。その一方、マイコン２１により、液晶パネル１７の輝度が所定の値であると判断された場合には、ステップＳ１０に移る。
【００３５】
次に、ステップＳ７において、マイコン２１により、検出部２０を用いて使用者Ｐまでの距離Ｄ（図３参照）が測定される。そして、ステップＳ８において、マイコン２１により、検出部２０を用いて液晶パネル１７の周辺の照度が測定される。
【００３６】
次に、ステップＳ９において、マイコン２１により、使用者Ｐまでの距離Ｄと周辺の照度とに基づいて液晶パネル１７の輝度を低下させる。具体的には、使用者Ｐまでの距離Ｄが大きければ、液晶パネル１７の輝度の低下量を小さくし、使用者Ｐまでの距離Ｄが小さければ、液晶パネル１７の輝度の低下量を大きくする。また、周辺の照度が大きければ、液晶パネル１７の輝度の低下量を小さくし、周辺の照度が小さければ、液晶パネル１７の輝度の低下量を大きくする。なお、この輝度の低下は、液晶パネル１７の輝度が所定の値（基準値の８０％）よりも低くならないように行われる。
【００３７】
たとえば、ステップＳ７において使用者Ｐまでの距離Ｄが所定の範囲内（たとえば、１ｍ〜２ｍ）であり、ステップＳ８において周辺の照度が所定の範囲内（たとえば、１５０Ｌｘ〜３００Ｌｘ）である場合には、マイコン２１により、液晶パネル１７の輝度を所定量（たとえば、基準値の５％）だけ低下させる。
【００３８】
また、ステップＳ７において使用者Ｐまでの距離Ｄが所定の範囲内（１ｍ〜２ｍ）であり、ステップＳ８において周辺の照度が大きい（３００Ｌｘ超）場合には、マイコン２１により、液晶パネル１７の輝度を所定量（基準値の４％）だけ低下させる。また、ステップＳ７において使用者Ｐまでの距離Ｄが所定の範囲内（１ｍ〜２ｍ）であり、ステップＳ８において周辺の照度が小さい（１５０Ｌｘ未満）場合には、マイコン２１により、液晶パネル１７の輝度を所定量（基準値の６％）だけ低下させる。
【００３９】
また、ステップＳ７において使用者Ｐまでの距離Ｄが大きく（２ｍ超）、ステップＳ８において周辺の照度が所定の範囲内（１５０Ｌｘ〜３００Ｌｘ）である場合には、マイコン２１により、液晶パネル１７の輝度を所定量（基準値の４％）だけ低下させる。また、ステップＳ７において使用者Ｐまでの距離Ｄが小さく（１ｍ未満）、ステップＳ８において周辺の照度が所定の範囲内（１５０Ｌｘ〜３００Ｌｘ）である場合には、マイコン２１により、液晶パネル１７の輝度を所定量（基準値の６％）だけ低下させる。
【００４０】
また、ステップＳ７において使用者Ｐまでの距離Ｄが大きく（２ｍ超）、ステップＳ８において周辺の照度が大きい（３００Ｌｘ超）場合には、マイコン２１により、液晶パネル１７の輝度を所定量（基準値の３％）だけ低下させる。また、ステップＳ７において使用者Ｐまでの距離Ｄが小さく（１ｍ未満）、ステップＳ８において周辺の照度が小さい（１５０Ｌｘ未満）場合には、マイコン２１により、液晶パネル１７の輝度を所定量（基準値の７％）だけ低下させる。
【００４１】
また、ステップＳ７において使用者Ｐまでの距離Ｄが大きく（２ｍ超）、ステップＳ８において周辺の照度が小さい（１５０Ｌｘ未満）場合には、マイコン２１により、液晶パネル１７の輝度を所定量（基準値の５％）だけ低下させる。また、ステップＳ７において使用者Ｐまでの距離Ｄが小さく（１ｍ未満）、ステップＳ８において周辺の照度が大きい（３００Ｌｘ超）場合には、マイコン２１により、液晶パネル１７の輝度を所定量（基準値の５％）だけ低下させる。
【００４２】
次に、ステップＳ１０において、マイコン２１により、カウンタ１９がリセットされる。そして、ステップＳ１１において、マイコン２１により、受信部１８がリモコン２から電源をオフする旨を示すリモコン信号を受信したか否かが判断される。そして、マイコン２１により、受信部１８がそのリモコン信号を受信していないと判断された場合には、ステップＳ４に戻る。その一方、マイコン２１により、受信部１８がそのリモコン信号を受信したと判断された場合には、液晶パネル１７の駆動が停止され、輝度制御動作が終了する。
【００４３】
本実施形態では、上記のように、使用者Ｐが所定領域Ｒに位置して液晶テレビ１００を視聴している（ステップＳ４：Yes）場合において、所定の期間（３０分）が経過する（ステップＳ５：Yes）毎に、液晶パネル１７の輝度が基準値から所定の値になるまで、液晶パネル１７の輝度が所定量だけ低下する（ステップＳ９）ことによって、使用者Ｐが輝度の低下に起因する違和感を感じるのを抑制しながら、使用者Ｐの目が疲労するのを抑制することができる。
【００４４】
なお、使用者Ｐまでの距離Ｄが常に所定の範囲内（１ｍ〜２ｍ）であり、周辺の照度が常に所定の範囲内（１５０Ｌｘ〜３００Ｌｘ）である場合には、３０分毎に液晶パネル１７の輝度が所定量（基準値の５％）低下するので、視聴を開始してから１２０分経過後に液晶パネル１７の輝度が所定の値（基準値の８０％）になる。そして、その後使用者Ｐが所定領域Ｒに存在する（ステップＳ４：Yes）場合には、液晶パネル１７の輝度の低下が行われることなく（ステップＳ６：Yes）、液晶パネル１７の輝度が所定の値で維持される。
【００４５】
また、本実施形態では、使用者Ｐが所定領域Ｒから一旦離れて視聴を中止した（ステップＳ４：No）場合には、液晶パネル１７の輝度が基準値に戻る（ステップＳ１２）ことによって、使用者Ｐがその後所定領域Ｒに戻り視聴を再開した場合に、使用者Ｐが輝度の低下に起因する違和感を感じるのを防ぐことができる。
【００４６】
なお、使用者Ｐが所定領域Ｒに存在しない（ステップＳ４：No）間においては、液晶パネル１７の輝度が基準値で維持される（ステップＳ１２）。すなわち、本実施形態による液晶テレビ１００では、使用者Ｐが所定領域Ｒに存在している間だけ、所定の期間経過する毎に液晶パネル１７の輝度が低下する。
【００４７】
また、本実施形態では、使用者Ｐまでの距離Ｄが小さい場合に、液晶パネル１７の輝度の低下量を大きくすることによって、液晶テレビ１００に接近した状態で視聴している使用者Ｐの目が疲労するのをより抑制することができる。
【００４８】
また、本実施形態では、暗い部屋で液晶テレビ１００を視聴している場合のように、周辺の照度が小さい場合に、液晶パネル１７の輝度の低下量を大きくすることによって、使用者Ｐの目が疲労するのをより抑制することができる。
【００４９】
本発明は、上述した以外にも種々の実施形態を採用することができる。たとえば、上記実施形態における各種の値は一例であり、その他の値であってもよい。具体的には、上記実施形態では、使用者Ｐまでの距離Ｄが所定の範囲内（１ｍ〜２ｍ）であり、周辺の照度が所定の範囲内（１５０Ｌｘ〜３００Ｌｘ）である場合において、所定の期間（３０分）が経過する毎に、液晶パネル１７の輝度を所定量（基準値の５％）だけ低下させる例を示したが、これに限らず、所定の期間（６分）が経過する毎に、液晶パネル１７の輝度を所定量（基準値の１％）だけ低下させるようにしてもよい。このように構成すれば、使用者Ｐが輝度の低下に起因する違和感を感じるのをより抑制することができる。
【００５０】
また、上記実施形態において、液晶パネル１７の輝度が所定の値（基準値の８０％）になった場合、または、視聴を開始してから所定の時間（例えば２時間）が経過した場合などに、使用者Ｐに休憩を促す表示を液晶パネル１７に表示するようにしてもよい。
【００５１】
また、上記実施形態では、所定領域Ｒに使用者Ｐが存在しない場合に、液晶パネル１７の輝度を基準値に戻す例を示したが、これに限らず、所定領域Ｒに使用者Ｐが存在しない場合に、液晶パネル１７の輝度を現在の輝度に維持するようにしてもよい。
【００５２】
また、上記実施形態では、使用者Ｐまでの距離Ｄと周辺の照度とに基づいて液晶パネル１７の輝度の低下量を調整する例を示したが、これに限らず、使用者Ｐまでの距離Ｄのみに基づいて液晶パネル１７の輝度の低下量を調整してもよいし、周辺の照度のみに基づいて液晶パネル１７の輝度の低下量を調整してもよい。また、液晶パネル１７の輝度の低下量を一定にしてもよい。
【図面の簡単な説明】
【００５３】
【図１】本発明の一実施形態による液晶テレビの全体構成を示した斜視図である。
【図２】図１の液晶テレビの全体構成を示したブロック図である。
【図３】図１の液晶テレビのテレビ本体を示した平面図である。
【図４】本発明の一実施形態による液晶テレビの輝度制御動作を説明するためのフローチャートである。
【符号の説明】
【００５４】
１７      液晶パネル（表示部）
２０      検出部
２１      マイコン（制御部）
１００    液晶テレビ（表示装置）
【図１】
2009296116.tif 000003
【図２】
2009296116.tif 000004
【図３】
2009296116.tif 000005
【図４】
2009296116.tif 000006